(57)【要約】【課題】分岐線の分岐方向を決めることが可能な位置決め部材を提供する。【解決手段】位置決め部材１０は、ワイヤハーネス３０の幹線３０Ｋと分岐線３０Ｖとの分岐点３１に取り付けられるものであり、前記幹線３０Ｋを一の方向に挿通可能な略筒状をなす幹線保持部１３を少なくとも一対と、前記幹線３０Ｋから前記一の方向とは異なる他の方向に前記分岐線３０Ｖを挿通可能な略筒状をなす分岐線保持部１４と、を備えている。【選択図】図５
2015165760.tif 000002
【特許請求の範囲】
【請求項１】
ワイヤハーネスの幹線と分岐線との分岐点に取り付けられるものであり、
前記幹線を一の方向に挿通可能な略筒状をなす幹線保持部を少なくとも一対と、
前記幹線から前記一の方向とは異なる他の方向に前記分岐線を挿通可能な略筒状をなす分岐線保持部と、を備えた位置決め部材。
【請求項２】
前記分岐点を覆う平板状をなす分岐点覆い部を有する請求項１に記載の位置決め部材。
【請求項３】
前記分岐点を挟むように一方側と他方側とに配置される一対の分割体を有し、
前記一対の分割体は略同一形状とされている請求項１または請求項２に記載の位置決め部材。
【請求項４】
前記分岐点を挟むように一方側と他方側とに配置される一対の分割体を有し、
前記一対の分割体は、互いに嵌合して前記幹線保持部および前記分岐線保持部を構成する幹線保持構成部および分岐線保持構成部を有している請求項１ないし請求項３のいずれか一項に記載の位置決め部材。
【請求項５】
前記分岐点を覆う金属製の分岐点覆い部を有する請求項１ないし請求項４のいずれか一項に記載の位置決め部材。
【請求項６】
前記分岐点とともにモールド部により覆われている請求項１ないし請求項５のいずれか一項に記載の位置決め部材。
【発明の詳細な説明】
【技術分野】
【０００１】
本発明は、ワイヤハーネスの幹線と分岐線との分岐点に取り付けられる位置決め部材に関する。
【背景技術】
【０００２】
従来、車両等に配索するワイヤハーネスにおいて、一方向に延びる幹線から他方向に分岐線を分岐することが行われている（例えば下記特許文献１に記載）。
【先行技術文献】
【特許文献】
【０００３】
【特許文献１】特開２０１４−１１００８号公報
【発明の概要】
【発明が解決しようとする課題】
【０００４】
そこで、幹線から分岐線を分岐する際、その分岐方向を定めたいという要望があった。
本発明は上記のような事情に基づいて完成されたものであって、分岐線の分岐方向を決めることが可能な位置決め部材を提供することを目的とする。
【課題を解決するための手段】
【０００５】
本発明の位置決め部材は、ワイヤハーネスの幹線と分岐線との分岐点に取り付けられるものであり、前記幹線を一の方向に挿通可能な略筒状をなす幹線保持部を少なくとも一対と、前記幹線から前記一の方向とは異なる他の方向に前記分岐線を挿通可能な略筒状をなす分岐線保持部と、を備えたものである。
【発明の効果】
【０００６】
本発明によれば、幹線と分岐線との分岐点に位置決め部材を取り付けることにより、幹線の延び方向に対して分岐線の延び方向が固定されるから、分岐線の分岐方向を決めることができる。
【図面の簡単な説明】
【０００７】
【図１】本実施例における位置決め部材の組み付け前の状態を示す側面図
【図２】位置決め部材の展開図
【図３】ワイヤハーネスの分岐点を示す平断面図
【図４】ワイヤハーネスの分岐点を示す側断面図
【図５】位置決め部材を取り付けた状態のワイヤハーネスの分岐点を示す平断面図
【図６】位置決め部材を取り付けた状態のワイヤハーネスの分岐点を示す側断面図
【図７】モールド部で覆われた状態のワイヤハーネスの分岐点を示す平断面図
【図８】モールド部で覆われた状態のワイヤハーネスの分岐点を示す側断面図
【図９】モールド部で覆われた状態のワイヤハーネスを示す断面図であって、図７のＡ−Ａ位置における断面に相当する断面図
【図１０】モールド部で覆われた状態のワイヤハーネスを示す断面図であって、図７のＢ−Ｂ位置における断面に相当する断面図
【発明を実施するための形態】
【０００８】
本発明の位置決め部材は、前記分岐点を覆う平板状をなす分岐点覆い部を有するものとしてもよい。このような構成によれば、分岐点覆い部により幹線と分岐線との分岐点を保護することができ、また、分岐点覆い部は平板状をなしているから位置決め部材の形状をシンプルなものとすることができる。
【０００９】
また、本発明の位置決め部材は、前記分岐点を挟むように一方側と他方側とに配置される一対の分割体を有し、前記一対の分割体は略同一形状とされているものとしてもよい。このような構成によれば、位置決め部材が一対の異なる形状をなす分割体を有するものである場合に比して部品点数が減るので、位置決め部材の製造コストを低減することができる。
【００１０】
また、本発明の位置決め部材は、前記分岐点を挟むように一方側と他方側とに配置される一対の分割体を有し、前記一対の分割体は、互いに嵌合して前記幹線保持部および前記分岐線保持部を構成する幹線保持構成部および分岐線保持構成部を有するものとしてもよい。このような構成によれば、一対の分割体において幹線保持構成部および分岐線保持構成部がそれぞれ一体に組み付けられるから、確実に分岐線の分岐方向を決めることができる。
【００１１】
また、本発明の位置決め部材は、前記分岐点を覆う金属製の分岐点覆い部を有するものとしてもよい。このような構成によれば、位置決め部材がシールド機能を有するものとすることができる。
また、本発明の位置決め部材は、前記分岐点とともにモールド部により覆われているものとしてもよい。このような構成によれば、分岐点の周りを防水することができる。
【００１２】
＜実施例１＞
以下、本発明を具体化した一実施例について、図１〜図１０を参照しつつ詳細に説明する。
本実施例における位置決め部材１０は、ワイヤハーネス３０の幹線３０Ｋと、幹線３０Ｋから分岐する分岐線３０Ｖとの分岐点３１に取り付けられるものである。なお、本実施例では、分岐線３０Ｖを、幹線３０Ｋに対して略直角方向に分岐する場合について説明する。
【００１３】
ワイヤハーネス３０はシールド線によって構成されている。ワイヤハーネス３０は、２本の被覆電線３２が内側被覆３３内に相互に離間した状態で平行に配索されてなり、さらに内側被覆３３が編組線３４によって包囲され、編組線３４が外側被覆３５によって覆われた形態とされている。
【００１４】
幹線３０Ｋを構成する２本の被覆電線３２は、その途中の異なる位置において被覆が剥がされて内部の導線３６が露出されている。また、分岐線３０Ｖを構成する２本の被覆電線３２は、その端末部分の被覆が剥がされて内部の導線３６が露出されている。そして、分岐線３０Ｖ及び幹線３０Ｋにおいて露出された導線３６同士が、図３および図４に示すように、スプライス端子を介してかしめ付けられ、またはスプライス溶接によって接続されている。こうして、幹線３０Ｋと分岐線３０Ｖとは接続部３７を介して接続される。なお、分岐線３０Ｖと幹線３０Ｋとの接続部３７には、その全体にわたりテープ３８が巻き付けられている。
【００１５】
さて、ワイヤハーネス３０の幹線３０Ｋと分岐線３０Ｖとの分岐点３１に取り付けられる位置決め部材１０は、分岐点３１を挟むように上側（一方側）と下側（他方側）とに配置される一対の分割体１１を有している（図１参照）。一対の分割体１１は、いずれも導電性の金属板材（例えば銅製の板材）により略同一形状に形成されている。
【００１６】
各分割体１１は、分岐点３１の上側または下側を覆う分岐点覆い部１２を有している。分岐点覆い部１２は、全体として、分岐点３１の形状に沿った略Ｔ字形の平板状をなしている（図２参照）。分岐点覆い部１２は、幹線３０Ｋおよび分岐線３０Ｖのうち編組線３４に覆われていない部分を覆うものである（図５参照）。
【００１７】
分岐点覆い部１２は、幹線３０Ｋを覆う幹線覆い部１２Ｋと、分岐線３０Ｖを覆う分岐線覆い部１２Ｖとを有している。幹線覆い部１２Ｋは、幹線３０Ｋの延び方向に長い略長方形の平板状をなし、分岐線覆い部１２Ｖは、分岐線３０Ｖの延び方向に長い略長方形の平板状をなしている。幹線覆い部１２Ｋの長手方向の寸法は、分岐線覆い部１２Ｖの長手方向の寸法よりも大きく、２倍程度とされている。
【００１８】
幹線覆い部１２Ｋおよび分岐線覆い部１２Ｖの短手方向の寸法（幅寸法）は、少なくとも２本分の被覆電線３２の径寸法よりも大きく、また外側被覆３５の径寸法よりも若干大きくされている。また、幹線覆い部１２Ｋおよび分岐線覆い部１２Ｖの短手方向の寸法は同等とされている。
【００１９】
分岐線覆い部１２Ｖは、幹線覆い部１２Ｋの長手方向の途中部分（略中心部）に連結されている。分岐線覆い部１２Ｖと幹線覆い部１２Ｋとは略直角をなしている。
一対の分割体１１は、後述する幹線保持部１３を構成する幹線保持構成部１３Ｃと、後述する分岐線保持部１４を構成する分岐線保持構成部１４Ｃとを有している。
【００２０】
幹線保持構成部１３Ｃは、各分割体１１に一対ずつ設けられ、一対の幹線保持構成部１３Ｃは、幹線覆い部１２Ｋの長手方向の両端部にそれぞれ連結されている。分岐線保持構成部１４Ｃは、各分割体１１に一ずつ設けられ、分岐線覆い部１２Ｖの長手方向の両端部のうち幹線覆い部１２Ｋとの連結側とは反対側の端部に連結されている。
【００２１】
一対の幹線保持構成部１３Ｃおよび一の分岐線保持構成部１４Ｃは、互いに略同形状とされている。各保持構成部１３Ｃ，１４Ｃは、図２に示すように、幹線３０Ｋまたは分岐線３０Ｖの軸方向と直交する方向に細長い長方形状をなす板部材が、図１に示すように、幹線３０Ｋまたは分岐線３０Ｖの外周側をそれぞれ囲むような半円形状に曲げ形成されたものである。各保持構成部１３Ｃ，１４Ｃの周方向における両端部の離間寸法は、各覆い部１２Ｋ，１２Ｖの幅寸法よりも大きくされている（図５参照）。
【００２２】
各保持構成部１３Ｃ，１４Ｃは、それぞれ略同形態の連結部１５を介して幹線覆い部１２Ｋまたは分岐線覆い部１２Ｖの端部に連結されている。連結部１５は、各覆い部１２Ｋ，１２Ｖの幅寸法よりも小さい幅寸法とされ、その両側が他の部分よりも窪んだ形態とされている（図２参照）。連結部１５は、各覆い部１２Ｋ，１２Ｖの端部から斜め外側（被覆電線３２が配置される側とは反対側）に屈曲されており、各保持構成部１３Ｃ，１４Ｃのうち連結部１５との連結部１５分は各覆い部１２Ｋ，１２Ｖの外面よりも外側に位置している。幹線保持構成部１３Ｃと分岐線保持構成部１４Ｃとは、互いの軸線が直角をなす向きで、分岐線覆い部１２Ｖに連結されている。
【００２３】
各保持構成部１３Ｃ，１４Ｃには、他の分割体１１に設けられた保持構成部１３Ｃ，１４Ｃと嵌合可能な嵌合部１６が設けられている。嵌合部１６は、図１に示すように、各保持構成部１３Ｃ，１４Ｃの周方向における両端部のうち一方の端部に設けられた凸側嵌合部１６Ｔと、他方の端部に設けられた凹側嵌合部１６Ｕとを有している。
【００２４】
凸側嵌合部１６Ｔは、一対の分割体１１の組み付け方向に略平行（分岐点覆い部１２の板面に対して略垂直）をなす略方形の板面を有する凸側嵌合受け部１７と、凸側嵌合受け部１７の幅方向の略中心から一対の分割体１１の組み付け方向に突出する凸部１８とを有している。凸部１８は、その突出端の両角部が丸められた略方形状に形成されている。凸部１８の基端側（突出端とは反対側）の両側にはスリット１９が形成され、凸部１８は、スリット１９の端部付近から外側に一枚板厚分だけ段差状にずれて設けられている。
【００２５】
凹側嵌合部１６Ｕは、一対の分割体１１の組み付け方向に略平行（分岐点覆い部１２の板面に対して略垂直）をなす板面を有する凹側嵌合受け部２１と、凹側嵌合受け部２１の幅方向の略中心から一対の分割体１１に組み付け方向に凹む凹部２２とを有している。各保持構成部１３Ｃ，１４Ｃにおいて凸側嵌合受け部１７と凹側嵌合受け部２１とは略平行をなして対向している（図１参照）。凹部２２は、凸部１８の形状に整合する略方形状をなし、その両側の部分（以下、凹側部２３と称する）は、凹部２２の端部付近から外側に一枚板厚分だけ段差状にずれて設けられている。
【００２６】
位置決め部材１０は、一対の分割体１１を組み付けることで構成される。一対の分割体１１が組み付けられた状態では、幹線覆い部１２Ｋ同士、および分岐線覆い部１２Ｖ同士が対向し、分岐点覆い部１２は所定の間隔（内側にワイヤハーネス３０を収容可能な間隔）をあけて略平行をなして配置される。一対の幹線覆い部１２Ｋの間には、幹線３０Ｋが挿通される幹線挿通路２４が形成され、一対の分岐線覆い部１２Ｖの間には、分岐線３０Ｖが挿通される分岐線挿通路２５が形成される。
【００２７】
また、幹線保持構成部１３Ｃによって幹線保持部１３が構成され、分岐線保持構成部１４Ｃによって分岐線保持部１４が構成される。幹線保持部１３および分岐線保持部１４は、互いに略同形の周方向に閉じた円筒形状をなし、内側に幹線３０Ｋまたは分岐線３０Ｖをそれぞれ挿通可能とされている。幹線保持構成部１３Ｃと分岐線保持構成部１４Ｃとは、互いの軸線がワイヤハーネス３０の幹線３０Ｋの延び方向およびそれに対する分岐線３０Ｖの分岐方向と一致する向きで設けられている。
【００２８】
位置決め部材１０が組み付けられたワイヤハーネス３０の分岐点３１は、モールド部２６により覆われている（図７および図８参照）。モールド部２６は、位置決め部材１０の全体と、編組線３４のうち外側被覆３５から露出された部分の全体と、ワイヤハーネス３０のうち外側被覆３５から露出されて位置決め部材１０および編組線３４の内側に配索される部分の全体とにわたり覆うものとされている。
【００２９】
次に、ワイヤハーネス３０の分岐点３１に位置決め部材１０を取り付ける作業の一例について説明する。
まず、幹線３０Ｋと分岐線３０Ｖとを接続する（図３および図４参照）。幹線３０Ｋおよび分岐線３０Ｖの接続箇所において被覆電線３２の導線３６を露出させ、導線３６同士を接続する。
【００３０】
次に、ワイヤハーネス３０の分岐点３１に位置決め部材１０を組み付ける（図５および図６参照）。まず、一対の分割体１１のうち一方の分割体１１を、幹線覆い部１２Ｋが幹線３０Ｋに沿うように、かつ分岐線覆い部１２Ｖが分岐線３０Ｖに沿うようにして配置する。このとき、一対の幹線保持構成部１３Ｃに幹線３０Ｋを通し、分岐線保持構成部１４Ｃに分岐線３０Ｖを通すようにする。
【００３１】
次いで、ワイヤハーネス３０を挟み込むようにして他方の分割体１１を一方の分割体１１に組み付ける。他方の分割体１１の各保持構成部１３Ｃ，１４Ｃの凸側嵌合部１６Ｔおよび凹側嵌合部１６Ｕが、一方の分割体１１の各保持構成部１３Ｃ，１４Ｃの凸側嵌合部１６Ｔおよび凹側嵌合部１６Ｕに向かい合うように配置して両分割体１１を接近させる。すると、凸側嵌合部１６Ｔの凸部１８が凹側嵌合部１６Ｕの凹部２２を通過して凹側嵌合受け部２１の外面側に重なって配され、凹側嵌合部１６Ｕの凹側部２３が凸側嵌合部１６Ｔの凸部１８の両側を通過して凸側嵌合受け部１７の外面側に重なって配される。こうして、各保持構成部１３Ｃ，１４Ｃにおいて互いの嵌合部１６が嵌合した状態になる。
【００３２】
その後、嵌合した嵌合部１６をかしめ付け、一対の分割体１１の保持構成部１３Ｃ，１４Ｃ同士を強固に組み付ける。これらのことによって、一対の分割体１１が分離不能に合体されて位置決め部材１０が一体に組み立てられる。この際には、幹線３０Ｋは、幹線挿通路２４内に配索されてその両端の幹線保持部１３から位置決め部材１０の外側に導出された状態になる。また分岐線３０Ｖは、分岐線挿通路２５内に配索されてその端部の分岐線保持部１４から位置決め部材１０の外側に導出された状態になる。
【００３３】
次に、外側被覆３５から露出された編組線３４の端部を、位置決め部材１０の幹線保持部１３および分岐線保持部１４の外周面にそれぞれ被せ付けてかしめリング３９によってかしめ付ける。これにより、編組線３４は位置決め部材１０に対して電気的に接続される。
【００３４】
次に、ワイヤハーネス３０の分岐点３１とともに位置決め部材１０の周りをモールド部２６で覆う（図７および図８参照）。ワイヤハーネス３０の分岐点３１を位置決め部材１０とともに型開き状態にある図示しない成形用金型に仕掛ける。そして、型閉じによって成形用金型内に形成される成形空間へ溶融樹脂を充填する。成形用金型内の樹脂が固化した後、型開きを行えばモールド部２６によって包囲されたワイヤハーネス３０の分岐点３１および位置決め部材１０を取り出すことができる。なお、本実施例では、位置決め部材１０から導出された分岐線３０Ｖは、モールド部２６により斜め方向に緩やかに曲げられた状態で固定される。
【００３５】
次に、上記のように構成された本実施例の作用および効果について説明する。
本実施例の位置決め部材１０は、ワイヤハーネス３０の幹線３０Ｋと分岐線３０Ｖとの分岐点３１に取り付けられるものであり、幹線３０Ｋを一の方向に挿通可能な略筒状をなす幹線保持部１３を一対と、幹線３０Ｋから直角方向（一の方向とは異なる他の方向）に分岐線３０Ｖを挿通可能な略筒状をなす分岐線保持部１４と、を備えている。
【００３６】
この構成によれば、幹線３０Ｋと分岐線３０Ｖとの分岐点３１に位置決め部材１０を取り付けることにより、幹線３０Ｋの延び方向に対して分岐線３０Ｖの延び方向が固定されるから、分岐線３０Ｖの分岐方向を決めることができる。
【００３７】
また、位置決め部材１０は、分岐点３１を覆う平板状をなす分岐点覆い部１２を有している。この構成によれば、分岐点覆い部１２により幹線３０Ｋと分岐線３０Ｖとの分岐点３１を保護することができ、また、分岐点覆い部１２は平板状をなしているから位置決め部材１０の形状をシンプルなものとすることができる。
【００３８】
また、位置決め部材１０を構成する一対の分割体１１は、略同一形状をなしている。この構成によれば、例えば位置決め部材が一対の異なる形状をなす分割体を有するものである場合に比して部品点数が減るので、位置決め部材１０の製造コストを低減することができる。
【００３９】
また、一対の分割体１１は、互いに嵌合して幹線保持部１３および分岐線保持部１４を構成する幹線保持構成部１３Ｃおよび分岐線保持構成部１４Ｃを有している。この構成によれば、一対の分割体１１において幹線保持構成部１３Ｃおよび分岐線保持構成部１４Ｃはそれぞれ一体に組み付けられるから、確実に分岐線３０Ｖの分岐方向を決めることができる。
【００４０】
また、位置決め部材１０に設けられた分岐点覆い部１２は金属製であるから、位置決め部材１０がシールド機能を有するものとすることができる。
また、位置決め部材１０は、ワイヤハーネス３０の分岐点３１とともにモールド部２６により覆われている。この構成によれば、位置決め部材１０およびワイヤハーネス３０の分岐点３１の周りを防水することができる。また、モールド部２６により、ワイヤハーネス３０の分岐点３１の分岐形状を、所定の形状に確実に固定することができる。
【００４１】
＜他の実施例＞
本発明は上記記述及び図面によって説明した実施例に限定されるものではなく、例えば次のような実施例も本発明の技術的範囲に含まれる。
（１）上記実施例では、ワイヤハーネス３０の分岐方向が一方向のみである場合について説明したが、これに限らず、分岐方向は２方向以上であってもよい。
（２）上記実施例では、位置決め部材１０が、シールド機能を有するワイヤハーネス３０の分岐点３１に取り付けられる場合について説明したが、これに限らず、例えば位置決め部材１０をシールド機能のない通常の電線の分岐点に取り付けるものとしてもよい。
（３）上記実施例では、位置決め部材１０が、一対の幹線保持部１３と一の分岐線保持部１４とを有しているが、これに限らず、位置決め部材は、３以上の幹線保持部および２以上の分岐線保持部を備えるものとしてもよい。
（４）上記実施例では、分岐線３０Ｖの分岐方向が幹線３０Ｋに対して直角方向である場合について説明したが、これに限らず、分岐線の分岐方向はどのような方向であってもよい。
（５）上記実施例では、幹線保持部１３および分岐線保持部１４は閉じた円筒形状をなすものとしているが、これに限らず、幹線保持部および分岐線保持部は、幹線または分岐線を所定の方向に保持可能であれば必ずしも閉じた円筒形状をなす必要はなく、例えば周方向の一部が開放されていてもよく、また例えば角筒形状であってもよい。
（６）上記実施例では、分岐点覆い部１２は平板状をなすものとされているが、これに限らず、例えば分岐点覆い部は内側に電線を収容可能な凹形状または筒形状をなすものとしてもよい。
（７）上記実施例では、一対の分割体１１は略同一形状をなすものとしているが、これに限らず、一対の分割体が異なる形状を有するものとしてもよい。
（８）上記実施例では、一対の分割体１１は別体とされているが、これに限らず、例えば一対の分割体はヒンジを介して一体に連結されたものであってもよい。
（９）上記実施例では、位置決め部材１０は金属製とされているが、これに限らず、位置決め部材はどのような材料により形成してもよく、例えば合成樹脂製であってもよい。
（１０）上記実施例では、一対の分割体１１は組み付けられて一体にされるものとしているが、これに限らず、例えば一対の分割体は互いに組み付けられることなく、それぞれがワイヤハーネスに取り付けられるものとしてもよい。
（１１）上記実施例では、幹線保持部１３および分岐線保持部１４を構成する幹線保持構成部１３Ｃおよび分岐線保持構成部１４Ｃが互いに嵌合するものとされているが、これに限らず、幹線保持構成部および分岐線保持構成部は互いに嵌合しないものとしてもよく、例えば別途、互いに係止する係止部を設けるものとしてもよい。
（１２）上記実施例では、位置決め部材１０は、ワイヤハーネス３０の分岐点３１とともにモールド部２６により覆われているが、これに限らず、位置決め部材は露出していてもよく、また例えばモールド部の代わりに保護部材を被せるものとしてもよい。
（１３）上記実施例では、位置決め部材１０は、ワイヤハーネス３０の分岐点３１を覆う分岐点覆い部１２を有しているが、これに限らず、位置決め部材は分岐点覆い部を有さないものであってもよく、幹線保持部と分岐線保持部とが、例えば棒状の連結体を介して一体に設けられたものとしてもよい。
【符号の説明】
【００４２】
１０…位置決め部材
１１…分割体
１２…分岐点覆い部
１３…幹線保持部
１３Ｃ…幹線保持構成部
１４…分岐線保持部
１４Ｃ…分岐線保持構成部
２６…モールド部
３０…ワイヤハーネス
３０Ｋ…幹線
３０Ｖ…分岐線
３１…分岐点
【図１】
2015165760.tif 000003
【図２】
2015165760.tif 000004
【図３】
2015165760.tif 000005
【図４】
2015165760.tif 000006
【図５】
2015165760.tif 000007
【図６】
2015165760.tif 000008
【図７】
2015165760.tif 000009
【図８】
2015165760.tif 000010
【図９】
2015165760.tif 000011
【図１０】
2015165760.tif 000012